(57)【要約】【課題】皮膚に化粧料を適用後、蒸しタオルのような温熱水蒸気を持続的に、かつ簡便に皮膚に供給し、化粧料成分の皮膚への浸透を促進させる。【解決手段】化粧料と、化粧料を適用した皮膚に温熱水蒸気を供給し、化粧料成分の皮膚への浸透を促進するための水蒸気発生体とを含む化粧キットの当該水蒸気発生体は、温熱水蒸気供給源として、金属粉、塩類及び水を含有し、金属粉の酸化に伴って水蒸気を放出する水蒸気発生組成物を内蔵し、皮膚への適用面から５０℃以下の水蒸気を、０．５ｍｇ／ｃｍ2・ｍｉｎ以上の水蒸気量で放出するものである。【選択図】図３
2008212702.tif 000002
【特許請求の範囲】
【請求項１】
化粧料と、化粧料を適用した皮膚に温熱水蒸気を供給し、化粧料成分の皮膚への浸透を促進するための水蒸気発生体とを含む化粧キットであって、該水蒸気発生体が、温熱水蒸気供給源として、金属粉、塩類及び水を含有し、金属粉の酸化に伴って水蒸気を放出する水蒸気発生組成物を内蔵し、皮膚への適用面から５０℃以下の水蒸気を、０．５ｍｇ／ｃｍ2・ｍｉｎ以上の水蒸気量で放出する水蒸気発生体である化粧キット。
【請求項２】
水蒸気発生体内部において、水蒸気発生組成物を収容する部材の透湿性が、皮膚への適用面となる部分で４０００ｇ／ｍ2・２４ｈ以上である請求項１記載の化粧キット。
【請求項３】
化粧料成分が、血行促進成分、美白剤成分、皮脂分泌抑制剤成分、保湿成分、又は脂質成分である請求項１又は２記載の化粧キット。
【発明の詳細な説明】
【技術分野】
【０００１】
本発明は、皮膚に化粧料を適用した後、その化粧料成分の浸透を促進させるために、特定の水蒸気発生体を使用する方法に関する。
【背景技術】
【０００２】
皮膚に化粧料を適用した後、その化粧料成分の皮膚への浸透を促進させるために、化粧料を適用した皮膚に蒸しタオルをあて、温熱水蒸気を供給することが行われている。
【発明の開示】
【発明が解決しようとする課題】
【０００３】
しかしながら、蒸しタオルは、温熱水蒸気を十分に供給できる維持時間が短いという問題を有している。
【０００４】
そこで、本発明は、化粧料を適用した皮膚に温熱水蒸気を供給し、化粧料成分の皮膚への浸透を促進させるにあたり、蒸しタオルのような温熱水蒸気を持続的に、かつ簡便に皮膚に供給し、化粧料の適用効果を容易に向上させられるようにすることを目的とする。
【課題を解決するための手段】
【０００５】
本発明者らは、皮膚に温熱水蒸気を供給するために、金属粉の酸化に伴って水蒸気を放出する水蒸気発生組成物を利用した水蒸気発生体を使用することにより、上述の目的が達成できることを見出し、本発明を完成させた。
【０００６】
即ち、本発明は、化粧料を適用した皮膚に温熱水蒸気を供給し、化粧料成分の皮膚への浸透を促進する方法であって、該温熱水蒸気供給源として、金属粉、塩類及び水を含有し、金属粉の酸化に伴って水蒸気を放出する水蒸気発生組成物を内蔵し、表面から５０℃以下の水蒸気を放出する水蒸気発生体を使用することを特徴とする化粧料成分の浸透促進方法を提供する。
【発明の効果】
【０００７】
本発明によれば、金属粉、塩類及び水を含有し、金属粉の酸化に伴って水蒸気を放出する水蒸気発生組成物を利用した水蒸気発生体を用いて、化粧料を適用した皮膚に蒸しタオルのような温熱水蒸気を持続的に、かつ簡便に皮膚に供給するので、化粧料成分の皮膚への浸透を容易に促進させることができる。
【発明を実施するための最良の形態】
【０００８】
以下、本発明を図面を参照しつつ詳細に説明する。
【０００９】
本発明の化粧料成分の浸透促進方法においては、皮膚に化粧料を適用した後、その皮膚に温熱水蒸気を供給するにあたり、金属粉、塩類及び水を含有し、金属粉の酸化に伴って水蒸気を放出する水蒸気発生組成物を内蔵した水蒸気発生体であって、表面から５０℃以下の水蒸気を放出するものを使用する。
【００１０】
ここで、水蒸気発生組成物を構成する金属粉としては、鉄、アルミニウム、亜鉛、銅等が挙げられ、中でも、経済性、反応性、安全性の点から、鉄粉を使用することが好ましい。塩類としては、塩化ナトリウム、塩化カリウム、塩化カルシウム、塩化マグネシウム等が挙げられる。この他、水蒸気発生組成物には、保水剤（バーミキュライト、ケイ酸カルシウム、シリカゲル、シリカ系多孔質物質、アルミナ、パルプ、木粉、吸水性ポリマー等）や、反応促進剤（活性炭、カーボンブラック、黒鉛等）などの種々の成分を含有させることができる。
【００１１】
この水蒸気発生組成物は、典型的には、次式
【００１２】
【化１】
2008212702.tif 000003
【００１３】
のように、鉄粉の酸化により発熱反応をおこし、系内の水を水蒸気として放出するものであり、一般に化学カイロと称されている発熱体で利用されているものと同様である。しかしながら、従来の化学カイロは基本的に温熱具として構成されているので、適度な通気性は確保するが、反応に必要な水が発熱体から逃げないように留意されている。そのため、化学カイロでは、発熱体を収容する袋を通気性素材から構成するが、積極的に透湿性素材で構成することはなされていない。例えば、特開平１−２５０２５２号公報では、シートの透湿量として、ＡＳＴＭ法（Ｅ−９６−８０Ｄ法）で１００〜４００ｇ／ｍ2・２４ｈのシートを用いている。これに対し、本発明では、水蒸気発生組成物を水蒸気発生源として積極的に利用するので、水蒸気発生体の皮膚への適用面における水蒸気放出量を、好ましくは０．５ｍｇ／ｃｍ2・ｍｉｎ以上とする。このため、水蒸気発生体内部で水蒸気発生組成物を収容する部材の透湿性は、少なくとも皮膚への適用面となる部分において４０００ｇ／ｍ2・２４ｈ以上とすることが好ましく、８０００ｇ／ｍ2・２４ｈ以上とすることがより好ましい。したがって、本発明における水蒸気発生組成物の利用方法は、従来の化学カイロにおける同様の組成物の利用方法とは大きく異なる。
【００１４】
なお、本発明において水蒸気放出量は、室温環境（２０℃、６５％ＲＨ）下で水蒸気発生体を外気遮断容器から取り出し、直ちに１ｍｇの単位まで測定可能な上皿天秤に載せ、その後１５分間重量測定を行った場合において、測定開始時の重量をＷt0（ｇ）とし、１５分後の重量をＷt15（ｇ）とし、水蒸気発生体表面の皮膚又は粘膜に適用する部分の表面積をＳ（ｃｍ2）としたときに、以下の式(1)により算出されるものである。
【００１５】
【数１】
2008212702.tif 000004
【００１６】
水蒸気発生組成物の発熱反応時に放出される水蒸気温度は、その組成物への通気量を制御せず、大気中に開放又はそれに近い状態にすると６０℃以上となり、かかる温度の水蒸気を持続的に皮膚に供給すると傷害がおきるおそれがある。そこで、本発明においては、水蒸気発生組成物を内蔵した水蒸気発生体の表面が皮膚に直接触れても安全が確保されるように、水蒸気発生体をその表面から放出される水蒸気温度が５０℃以下となるように温度制御して使用する。
【００１７】
なお、水蒸気発生体から放出される水蒸気温度を５０℃以下に制御するにあたり、その温度測定は、ＪＩＳ Ｓ４１００使い捨てカイロの温度測定法に準じる。
【００１８】
温度制御の態様としては、水蒸気発生体表面と、水蒸気発生組成物の収容部との間に温度調節材を設けることができる。温度調節材の構成素材としては、(1)織布、不織布、(2)紙、合成紙等の紙類、(3)プラスチック、天然ゴム、再生ゴム又は合成ゴムから形成した多孔性フィルム又は多孔性シート、(4)穿孔を有するウレタンフォーム等の発泡プラスチック、及び(5)穿孔を有するアルミ箔等の金属箔、の少なくとも一種を使用することができる。また、温度調節材は水蒸気の通過抵抗にもなることから、温度調節材を設けた場合でも水蒸気発生体の表面から十分な水蒸気が放出されるように、温度調節材はＡＳＴＭ法による透湿量が４０００ｇ／ｍ2・２４ｈ以上となるようにすることが好ましく、８０００ｇ／ｍ2・２４ｈ以上とすることがより好ましい。
【００１９】
この他、温度制御の態様としては、水蒸気発生体と皮膚又は粘膜の適用部位との間に空隙を設けてもよく、水蒸気発生組成物に使用する金属粉の粒径や充填量を制御してもよい。
【００２０】
水蒸気発生体の具体的な構成は、水蒸気発生組成物を内蔵し、表面から５０℃以下の水蒸気が放出されるようにしたものである限り特に制限はなく、種々の態様をとることができる。例えば、図１に示したように、水蒸気発生組成物１を、片面（水蒸気放出面２ａ）が透湿性シートから形成されている内袋２に収容し、内袋２の水蒸気放出面２ａ上に、数枚の不織布と紙からなる温度調節材３を積層し、これら全体を透湿性外袋４に収容し、さらに外側を密封袋５で密封したものとすることができる。なお、この密封袋５は水蒸気発生体の使用時に取り去られ、それにより水蒸気発生組成物１が反応を開始し、内袋２の水蒸気放出面２ａ側から水蒸気が放出されるようになる。
【００２１】
本発明において、水蒸気発生体の使用に先立ち、皮膚に適用する化粧料の形態、皮膚への浸透を促進させる化粧料成分の種類、化粧料の適用方法には特に制限はない。
【００２２】
例えば、化粧料成分を含有する化粧料の形態としては、クリーム状、ペースト状、ジェル状、乳化状等の液状あるいはスティック等の固形状のいずれでもよい。
【００２３】
また、化粧料成分の種類としては、血行促進成分、美白剤成分、皮脂分泌抑制剤成分、保湿成分、脂質成分等をあげることができる。このうち、効果的に浸透促進させることのできる血行促進成分としては、ニコチン酸トコフェロール、酢酸トコフェロール、ニコチン酸アミドが好ましく、植物抽出エキスとしては、センブリエキス、オトギリンソウエキス、イチョウエキス、アルニカエキス、ハマメリスエキス、トウキンセンカエキス、マロニエエキス、エンメイソウエキス、サルビアエキス、ハマボウフウエキス、米胚芽油、ボダイジュエキスが好ましく、特に、ニコチン酸トコフェロール、マロニエエキス等をあげることができる。
【００２４】
美白剤成分としては、Ｌ−アスコルビン酸、アルブチン、コウジ酸、プラセンタエキス、カミツレエキス、茶エキス、カッコンエキス、カンゾウエキス等を挙げることができる。
【００２５】
皮脂分泌抑制剤成分としては、エストラジオール、スルホ石炭酸亜鉛、酸化亜鉛、ローヤルゼリー、１０−ヒドロキシウンデカン酸、１２−ヒドロキシステアリン酸等を挙げることができる。
【００２６】
保湿剤成分としては、天然保湿成分（ＮＭＴ）、ＳＡアミノ酸、ピロリドンカルボン酸等をあげることができる。
【００２７】
脂質成分としては、セラミド類、リン脂質、高級脂肪酸類等を挙げることができる。
【００２８】
中でも本発明により効果的に皮膚への浸透を促進させることができる化粧料成分としては、油溶性であり、水への分配率の小さい酢酸トコフェロール、ニコチン酸トコフェロール、セラミド、リン脂質等をあげることができる。
【００２９】
化粧料の適用方法としては、手による塗布、吐出容器の使用など任意の方法によることができる。
【００３０】
本発明においては、化粧料を適用した皮膚に、水蒸気発生体を用いて温熱水蒸気を供給した後、さらにマッサージを行ってもよい。これにより、化粧料成分の浸透促進効果をさらに向上させることができ、当該化粧料成分の使用効果をより向上させることが可能となる。
【００３１】
この場合、マッサージの方向、回数、マッサージ部位の順序等について特に制限はないが、より大きな美容効果を得る点から、マッサージ方向は、まず動脈の血流方向に行い、次に静脈の血流方向に行うのが好ましい。一般に、マッサージはやり方によってはかえってしわやたるみの原因となるが、上述の方法によるとマッサージが血流に沿い、筋繊維の方向に逆らわないので、専門者でなく一般人がマッサージをしてもしわやたるみの原因にならず、さらに短時間で大きな美容効果を得ることが可能となる（特開平１０−１１３３６９号公報参照）。
【００３２】
マッサージを、まず動脈の血流方向に行い、次に静脈の血流方向に行うにあたり、当該マッサージ部位において動脈あるいは静脈の血流方向のマッサージをそれぞれ重複して行ってもよく、また当該マッサージ部位全体に対して動脈の血流方向のマッサージを行った後は、そのマッサージ部位内の任意の部分では、その部分について静脈の血流方向のマッサージのみ行ってもよく、またその部分について再度動脈の血流方向のマッサージを行い、その後その部分について静脈の血流の方向のマッサージを行ってもよい。
【００３３】
例えば、顔をマッサージする場合、図２に示したように、まず、(a) 顔面動脈の血流方向にしたがって、口もとから小鼻を通る線を描くようにマッサージする。その後、必要に応じてさらに顔面動脈が分岐した動脈の血流方向にそってマッサージし、次いで顔面静脈もしくは浅側頭静脈又はこれらに注ぐ静脈の血流方向に沿ったマッサージを行う。すなわち、(b) 眼角動脈の血流方向次いで浅側頭静脈の血流方向に沿うように頬を口もとから下眼瞼を通り耳の方へ円を描くようにマッサージするか、(c) 眼窩上動脈の血流方向次いで浅側頭静脈の血流方向に沿うように額を眉間付近から額上部を通って両端部へ円弧を描くように行うマッサージするか、(d) 下眼静脈及び浅側頭静脈の血流方向に沿うように下眼瞼を目元から目尻の方へマッサージする。あるいは(a) のマッサージを行った後、(b),(c),(d) のマッサージを任意の順序で行う。
【００３４】
このようなマッサージのなかでも特に好ましい方法としては、(a) のマッサージを２〜３回行った後、(b) 及び(c) のマッサージをこの順序で２〜３回繰り返し、次いで(d) のマッサージを２〜３回行う。この場合、(a) 〜(d) のマッサージが２０秒〜６０秒程度で完了するようにする。
【００３５】
一方、顔以外の部位、例えば身体をマッサージする場合には、図３に示したように、まず心臓より動脈系に沿うか、あるいは脳もしくは脊髄より神経系に沿って遠心性にマッサージし、次に図４に示したように、末梢より静脈あるいはリンパ系に沿って求心性にマッサージを行う。
【００３６】
また、マッサージは、手のひらや指の腹で、好ましくは指の腹全体で、マッサージする部位の皮膚上を滑らせるように行うことが好ましい。
【００３７】
なお、水蒸気発生体の使用前に皮膚に適用した化粧料の種類等にもよるが、マッサージに際しては、予め皮膚にマッサージクリーム、マッサージオイルなど種々のマッサージ用化粧料を使用してもよい。
【実施例】
【００３８】
以下、本発明を実施例に基づいて具体的に説明する。
【００３９】
実施例１
図１の水蒸気発生体を次のように作製した。吸水性ポリマー（日本触媒社製、商品名：アクアリックＣＡ）１重量部、シリカゲル（和光純薬社製、商品名：ワコーゲルＣ−２００）３重量部及び１２．５重量％の食塩水１０重量部を混合したもの５ｇと、鉄粉（同和鉄粉工業社製、商品名：ＲＫＨ）１０ｇとを混合し、水蒸気発生組成物１を得た。この水蒸気発生組成物１を、片面がビニールコーティングされたシート（日東電工社製、商品名：ニトタック）からなり、他面が透湿性不織布（三井化学社製、商品名：シンテックスＭＢ、坪量１５ｇ／ｍ2）からなる１辺６ｃｍの正方形の内袋２に８ｇ充填した。このように水蒸気発生組成物１を充填した内袋２の透湿性不織布からなる面を上面とし、ビニールコーティングされたシートからなる面を、支持体としての不織布（チッソ社製、商品名：エアレード、坪量２４ｇ／ｍ2）に接着固定した。内袋２の透湿性不織布からなる面には、温度調節材３として、１層の紙（クレシア社製、商品名：キムタオル）、２層の不織布（チッソ社製、商品名：エアレード、坪量２４ｇ／ｍ2）、１層の紙（クレシア社製、商品名：キムタオル）、２層の不織布（チッソ社製、商品名：エアレード、坪量２４ｇ／ｍ2）を順次積層したものを設け、全体を透湿性不織布（三井化学社製、商品名：シンテックスＭＢ、坪量１５ｇ／ｍ2）からなる外袋４に収容し、さらにその外側全体を密封袋５（旭化成ポリフレックス社、商品名：飛龍）で密封し、水蒸気発生体を得た。この水蒸気発生体表面の最高水蒸気温度は４７℃であり、皮膚への適用面から放出される水蒸気量は１．１０ｍｇ／ｃｍ2・ｍｉｎであった。
【００４０】
市販のセラミド含有クリームを、１０名のパネラーの頬部の各々に１ｇ塗布し、４ｃｍ×４ｃｍの正方形に伸ばした後、水蒸気発生体をセラミド含有クリームの塗布部に１０分間適用した。
【００４１】
実施例２
実施例１と同様にして水蒸気発生体を作製し、各パネラーの頬部にセラミド含有クリームを塗布し、その塗布部に水蒸気発生体を１０分間適用した後、直ちに口元から小鼻を通る線を描くように３回マッサージ（図２（ａ））し、次いで口元から下瞼を通り、耳の方へ円を描くように３回マッサージ（図２（ｂ））し、このマッサージを５分間繰り返した。
【００４２】
比較例１
実施例１と同様にしてセラミド含有クリームを各パネラーの頬部に塗布したが、水蒸気発生体は適用しなかった。
【００４３】
比較例２
実施例１において、水蒸気発生体に代えて市販の化学カイロを各パネラーの皮膚に適用した。
【００４４】
比較例３
実施例１と同様にしてセラミド含有クリームを各パネラーの頬部に塗布したが、水蒸気発生体は適用せず、クリームの塗布部に実施例２と同様にしてマッサージを施した。
【００４５】
評価
実施例１、２及び比較例１〜３の各々の美容処理を施した１０名ずつのパネラーのセラミド含有クリームの塗布部位を、温度１０℃、湿度１５％の恒温恒湿室で１時間調湿した後、セラミド含有クリームの塗布部位の水分保持率を、皮膚コンダクタンスを測定することにより、次式にしたがって求めた。
【００４６】
【数２】
2008212702.tif 000005
【００４７】
１０名ずつのパネラーの水分保持率の平均値を各実施例又は比較例における平均水分保持率とした。結果を表１に示す。
【００４８】
【表１】
2008212702.tif 000006
【００４９】
セラミドは細胞間脂質として働き、低湿度下での皮膚からの水分の蒸散を防ぐ作用を有する。セラミド含有クリームの塗布と水蒸気発生体の適用を組み合わせた実施例１では、水蒸気発生体を適用しなかった比較例１〜３に比して水分保持率が高いので、セラミドの皮膚への浸透量が高かったものと考えられる。セラミド含有クリームの塗布と水蒸気発生体の適用とマッサージを組み合わせた実施例２では、実施例１よりもさらに水分保持率が高く、セラミドがより効果的に皮膚に浸透したと考えられる。
【図面の簡単な説明】
【００５０】
【図１】水蒸気発生体の平面図（同図（ａ））及び断面図（同図（ｂ））である。
【図２】本発明の方法で行う顔のマッサージの説明図である。
【図３】本発明の方法で行う身体のマッサージの説明図である。
【図４】本発明の方法で行う身体のマッサージの説明図である。
【符号の説明】
【００５１】
１  水蒸気発生組成物
２  内袋
２ａ  内袋の水蒸気放出面
３  温度調節材
４  透湿性外袋
５  密封袋
【図１】
2008212702.tif 000007
【図２】
2008212702.tif 000008
【図３】
2008212702.tif 000009
【図４】
2008212702.tif 000010